(57)【要約】      （修正有）【課題】シャワー設備と共に使用され得、便利な保健浴の形式を実現する入浴剤混成器を提供する。【解決手段】入浴剤混成器は、内部に入浴剤混合キャビティ３が設けられたハウジング２と、ハウジング上に設けられ、入浴剤混合キャビティと連通している入水口と、ハウジング上に設けられ、入浴剤混合キャビティと連通している入浴剤装入口と、ハウジング上に設けられた出水口と、ハウジング内に配置され、一端が入浴剤混合キャビティ内の下部まで延在し、他端が出水口と連通している負圧配管７とを備えている。入浴剤混成器の作動状態は、貯水状態及び送水状態を含む。入浴剤混成器が貯水状態のときには、入水口が開き、出水口が閉じる。入浴剤混成器が送水状態のときには、入水口が閉じ、出水口が開く。本発明は、シャワー設備と共に使用され得る。【選択図】図１
2020000824.tif 000002
【特許請求の範囲】
【請求項１】
内部に入浴剤混合キャビティが設けられたハウジングと、
前記ハウジング上に設けられ、前記入浴剤混合キャビティと連通している入水口と、
前記ハウジング上に設けられ、前記入浴剤混合キャビティと連通している入浴剤装入口と、
前記ハウジング上に設けられた出水口と、
前記ハウジング内に配置され、一端が前記入浴剤混合キャビティ内の下部まで延在し、他端が前記出水口と連通している負圧配管とを備え、
前記入浴剤混成器の作動状態は、貯水状態及び送水状態を含み、
前記入浴剤混成器が貯水状態のときには、前記入水口が開き、前記出水口が閉じ、
前記入浴剤混成器が送水状態のときには、前記入水口が閉じ、前記出水口が開くことを特徴とする入浴剤混成器。
【請求項２】
３つの接続口を有する入水管と、出水管とをさらに備え、３つの前記接続口のうち、第１接続口は前記入水口と連通し、第２接続口は前記入浴剤混合キャビティの加水口と連通し、第３接続口は前記負圧配管と連通しており、
前記出水管は、一端が前記負圧配管と連通し、他端が前記出水口と連通しており、
前記入水管の第３接続口及び前記出水管は、いずれも前記負圧配管の同じ接続位置に連通し、前記接続位置は、前記入浴剤混合キャビティの外部に位置し、前記入水管及び前記出水管の管路は、いずれも徐々に細くなるような形で前記接続位置に連通していることを特徴とする請求項１に記載の入浴剤混成器。
【請求項３】
加圧水管と及び水圧調整器を含む加圧機構をさらに備え、
前記加圧水管は、一端が前記入水管と連通し、他端が前記出水管と連通しており、
前記水圧調整器は、前記加圧水管に配置されていることを特徴とする請求項２に記載の入浴剤混成器。
【請求項４】
撹拌器及び動力部を含む攪拌機構をさらに備え、
前記撹拌器は、前記入浴剤混合キャビティの下部まで延在しており、
前記動力部は、前記入水管の管路に配置され且つ前記負圧配管の前記接続位置の前方に位置し、前記入水管と連通するインペラ室、及び、前記インペラ室内に配置された駆動インペラを含み、
前記駆動インペラの回転軸は、前記撹拌器と接続され、回転すると前記撹拌器に動力を提供し、
前記入水管内を水流が通過する際に、水が前記入水管から前記インペラ室に流れ込み、前記駆動インペラは、駆動されて回転状態となり、水が前記インペラ室から前記入水管にさらに流れ込むことを特徴とする請求項２に記載の入浴剤混成器。
【請求項５】
前記ハウジング上に設けられた予備入水口、
前記入水口の箇所に取外し可能に取り付けられた入水口プラグ、
前記出水口の箇所に取外し可能に取り付けられた出水口プラグ、
前記入浴剤装入口の箇所に取外し可能に取り付けられた入浴剤装入口キャップ、
前記入水口及び前記入浴剤混合キャビティとそれぞれ連通している入浴剤混合キャビティ加水管と、前記入浴剤混合キャビティ加水管に取り付けられた入浴剤混合キャビティ加水用バルブ、
前記負圧配管の底部に配置されたメッシュフィルタ、
前記ハウジングの外部に配置されたフックブラケット、及び、
前記ハウジングの側壁に集積された保温層の少なくとも１つをさらに備えていることを特徴とする請求項１に記載の入浴剤混成器。
【請求項６】
前記ハウジングに配置された液面警報部、
前記ハウジングに配置された液面表示部、
前記入浴剤混合キャビティ内に配置された液面制御部、
前記ハウジングに配置された時間表示部、
前記ハウジングに配置された音楽再生部、及び、
前記ハウジングに配置された温度表示部の少なくとも１つをさらに備えていることを特徴とする請求項１に記載の入浴剤混成器。
【請求項７】
加熱接続口及び加熱ベースを含む加熱器をさらに備え、
前記加熱接続口は、前記ハウジングの底部に設けられており、
前記加熱ベースと前記加熱接続口とは、分離可能に接続されていることを特徴とする請求項１に記載の入浴剤混成器。
【請求項８】
前記入浴剤混合キャビティ内の上部に配置された複数の入浴剤保存機構及び入浴剤選択機構をさらに備え、入浴剤が前記入浴剤保存機構から前記入浴剤混合キャビティに入るように、各前記入浴剤保存機構のそれぞれは、液体出口を介して前記入浴剤混合キャビティと単方向に連通しており、
前記入浴剤選択機構は、複数の前記入浴剤保存機構と接続されており、これにより、複数の前記入浴剤保存機構は、前記入浴剤選択機構に連動して、前記入浴剤装入口の下方及び前記入浴剤混合キャビティの加水位置の下方までそれぞれ移動することを特徴とする請求項１〜７のいずれか１項に記載の入浴剤混成器。
【請求項９】
前記入浴剤選択機構は、回転盤及び回転制御フォークを含み、
前記回転盤は、第１ギアであり、前記回転盤には、複数の前記入浴剤保存機構が円周方向に沿って順次配置されており、
前記回転制御フォークは、互いに接続された第１操作スイッチ及び第２ギアを含み、前記第２ギアと前記第１ギアとは噛み合っており、
前記第１操作スイッチが前記第２ギアの円周方向に沿って回されると、前記第２ギア及び前記第１ギアは、いずれも回転状態となり、
前記第１操作スイッチが元の位置に戻ると、前記第１ギア及び前記第２ギアは、回転を停止することを特徴とする請求項８に記載の入浴剤混成器。
【請求項１０】
複数の前記入浴剤保存機構のそれぞれには、逆止弁、プッシュロッド及び第２操作スイッチを含む入浴剤単方向送出し制御機構が配置されており、
前記逆止弁は、前記入浴剤保存機構の液体出口の箇所に配置されており、
前記プッシュロッドは、前記逆止弁の下方に配置されており、
前記第２操作スイッチは、前記プッシュロッドと固定接続され、且つ前記ハウジングの外部まで延在しており、
前記第２操作スイッチが押下されると、前記プッシュロッドが押し上げられる状態となり、前記逆止弁は、前記プッシュロッドによって押し上げられて、前記液体出口との間に隙間を形成し、
前記第２操作スイッチが元の位置に戻ると、前記プッシュロッドが下がることで前記逆止弁が下がって前記液体出口を封鎖することを特徴とする請求項８に記載の入浴剤混成器。
【請求項１１】
給水管路、出水管路及びノズル部を備えたシャワー装置であって、前記出水管路の出水端と前記ノズル部とが接続されており、
請求項１〜１０のいずれか１項に記載の入浴剤混成器をさらに備えており、
前記給水管路と前記入浴剤混成器の入水口とは接続されており、
前記出水管路の入水端と前記入浴剤混成器の出水口とは接続されていることを特徴とするシャワー装置。
【発明の詳細な説明】
【技術分野】
【０００１】
本発明は、バスルームの分野に関し、特に入浴剤混成器及びシャワー装置に関する。
【背景技術】
【０００２】
現在、中国国内の市場において、ヘルスケアや摂生（養生）及びエモリエント等の温泉入浴方法及び形式は様々である。ヘルスケアや摂生（養生）及びエモリエントのために、数十キロメートルひいては数千キロメートル離れた天然温泉プールに入浴しに行く人もいれば、ヘルスケアや摂生（養生）のために、数キロメートルから数十キロメートル離れた浴場やスパサロンに人工温泉に浸かりに行く人も、入浴剤を購入して自宅の浴槽や一時的なバスタブでの摂生（養生）浴に浸かる人等もいる。
【０００３】
しかし、現在の温泉摂生（養生）入浴方法の多くは、多かれ少なかれ不便やトラブルをもたらしている。主な理由は、上記の入浴方法によれば、数人又は数十人が１つの浴槽や浴場を共用しているからである。このため、健康や衛生の面で、感染症を含む多大なリスクが潜んでいる。
【発明の概要】
【発明が解決しようとする課題】
【０００４】
より便利な保健浴方式をどのように提供するかは、この分野におけるより注目される問題となっている。
【課題を解決するための手段】
【０００５】
本発明の目的は、シャワー設備と共に使用され得、便利な保健浴の形式を実現する入浴剤混成器を提供することである。
【０００６】
本発明のもう１つの目的は、前記入浴剤混成器を備えたシャワー装置を提供することである。
【０００７】
本発明の技術的解決手段は、下記の通りである。
入浴剤混成器であって、
内部に入浴剤混合キャビティが設けられたハウジングと、
前記ハウジング上に設けられ、前記入浴剤混合キャビティと連通している入水口と、
前記ハウジング上に設けられ、前記入浴剤混合キャビティと連通している入浴剤装入口と、
前記ハウジング上に設けられた出水口と、
前記ハウジング内に配置され、一端が前記入浴剤混合キャビティ内の下部まで延在し、他端が前記出水口と連通している負圧配管とを備えている。
【０００８】
前記入浴剤混成器の作動状態は、貯水状態及び送水状態を含む。
前記入浴剤混成器が貯水状態のときには、前記入水口が開き、前記出水口が閉じる。
前記入浴剤混成器が送水状態のときには、前記入水口が閉じ、前記出水口が開く。
【０００９】
さらに、前記入浴剤混成器は、
３つの接続口を有する入水管と、出水管とをさらに備えている。３つの前記接続口のうち、第１接続口は前記入水口と連通し、第２接続口は前記入浴剤混合キャビティの加水口と連通し、第３接続口は前記負圧配管と連通している。
前記出水管は、一端が前記負圧配管と連通し、他端が前記出水口と連通している。
【００１０】
前記入水管の第３接続口及び前記出水管は、いずれも前記負圧配管の同じ接続位置に連通し、前記接続位置は、前記入浴剤混合キャビティの外部に位置する。前記入水管及び前記出水管の管路は、いずれも徐々に細くなるような形で前記接続位置に連通している。
【００１１】
さらに、前記入浴剤混成器は、
加圧水管と及び水圧調整器を含む加圧機構をさらに備えている。
【００１２】
前記加圧水管は、一端が前記入水管と連通し、他端が前記出水管と連通している。
前記水圧調整器は、前記加圧水管に配置されている。
【００１３】
さらに、前記入浴剤混成器は、
撹拌器及び動力部を含む攪拌機構をさらに備えている。
前記撹拌器は、前記入浴剤混合キャビティの下部まで延在している。
【００１４】
前記動力部は、前記入水管の管路に配置され且つ前記負圧配管の前記接続位置の前方に位置し、前記入水管と連通するインペラ室、及び、前記インペラ室内に配置された駆動インペラを含む。
【００１５】
前記駆動インペラの回転軸は、前記撹拌器と接続され、回転すると前記撹拌器に動力を提供する。
前記入水管内を水流が通過する際に、水が前記入水管から前記インペラ室に流れ込み、前記駆動インペラは、駆動されて回転状態となり、水が前記インペラ室から前記入水管にさらに流れ込む。
【００１６】
さらに、前記入浴剤混成器は、
前記ハウジング上に設けられた予備入水口、
前記入水口の箇所に取外し可能に取り付けられた入水口プラグ、
前記出水口の箇所に取外し可能に取り付けられた出水口プラグ、
前記入浴剤装入口の箇所に取外し可能に取り付けられた入浴剤装入口キャップ、
前記入水口及び前記入浴剤混合キャビティとそれぞれ連通している入浴剤混合キャビティ加水管と、前記入浴剤混合キャビティ加水管に取り付けられた入浴剤混合キャビティ加水用バルブ、
前記負圧配管の底部に配置されたメッシュフィルタ、
前記ハウジングの外部に配置されたフックブラケット、及び、
前記ハウジングの側壁に集積された保温層の少なくとも１つをさらに備えている。
【００１７】
さらに、前記入浴剤混成器は、
前記ハウジングに配置された液面警報部、
前記ハウジングに配置された液面表示部、
前記入浴剤混合キャビティ内に配置された液面制御部、
前記ハウジングに配置された時間表示部、
前記ハウジングに配置された音楽再生部、及び、
前記ハウジングに配置された温度表示部の少なくとも１つをさらに備えている。
【００１８】
さらに、前記入浴剤混成器は、
加熱接続口及び加熱ベースを含む加熱器をさらに備えている。
前記加熱接続口は、前記ハウジングの底部に設けられている。
前記加熱ベースと前記加熱接続口とは、分離可能に接続されている。
【００１９】
さらに、前記入浴剤混成器は、入浴剤保存機構及び入浴剤選択機構をさらに備えている。
入浴剤が前記入浴剤保存機構から前記入浴剤混合キャビティに入るように、各前記入浴剤保存機構のそれぞれは、液体出口を介して前記入浴剤混合キャビティと単方向に連通している。
【００２０】
前記入浴剤選択機構は、複数の前記入浴剤保存機構と接続されており、これにより、複数の前記入浴剤保存機構は、前記入浴剤選択機構に連動して、前記入浴剤装入口の下方及び前記入浴剤混合キャビティの加水位置の下方までそれぞれ移動する。
【００２１】
さらに、前記入浴剤混成器は、以下をさらに備えている。
前記入浴剤選択機構は、回転盤及び回転制御フォークを含む。
前記回転盤は、第１ギアであり、前記回転盤には、複数の前記入浴剤保存機構が円周方向に沿って順次配置されている。
前記回転制御フォークは、互いに接続された第１操作スイッチ及び第２ギアを含み、前記第２ギアと前記第１ギアとは噛み合っている。
【００２２】
前記第１操作スイッチが前記第２ギアの円周方向に沿って回されると、前記第２ギア及び前記第１ギアは、いずれも回転状態となる。
前記第１操作スイッチが元の位置に戻ると、前記第１ギア及び前記第２ギアは、回転を停止する。
【００２３】
さらに、前記入浴剤混成器は、以下をさらに備えている。
複数の前記入浴剤保存機構のそれぞれには、逆止弁、プッシュロッド及び第２操作スイッチを含む入浴剤単方向送出し制御機構が配置されている。
前記逆止弁は、前記入浴剤保存機構の液体出口の箇所に配置されている。
前記プッシュロッドは、前記逆止弁の下方に配置されている。
前記第２操作スイッチは、前記プッシュロッドと固定接続され、且つ前記ハウジングの外部まで延在している。
【００２４】
前記第２操作スイッチが押下されると、前記プッシュロッドが押し上げられる状態となり、前記逆止弁は、前記プッシュロッドによって押し上げられて、前記液体出口との間に隙間を形成する。
前記第２操作スイッチが元の位置に戻ると、前記プッシュロッドが下がることで前記逆止弁が下がって前記液体出口を封鎖する。
【００２５】
本発明は、給水管路、出水管路及びノズル部を備えたシャワー装置をさらに提供する。  前記出水管路の出水端と前記ノズル部とが接続されている。
前記入浴剤混成器をさらに備えている。
前記給水管路と前記入浴剤混成器の入水口とは接続されている。
前記出水管路の入水端と前記入浴剤混成器の出水口とは接続されている。
【発明の効果】
【００２６】
本発明に係る入浴剤混成器及びシャワー装置は、以下のうちの少なくとも１つの有益な効果を奏する。
１、本発明に係る入浴剤混成器は、例えば室内の既存のシャワー装置に取り付けるか入浴剤混成器付きのシャワー装置を直接購入する等、室内のシャワー装置と併せて使用され得る。これにより、遠くへ足を運ぶことなく、自宅や便利な場所での保健浴を楽しむことができる。また、取付が簡単で且つ便利であり、使用上の柔軟性、効率性、快適性、健康やヘルスケアの機能があり、時間、労力及び水が省かれ、安全性、信頼性及び安定性を有する。
【００２７】
２、本発明は、保健浴及び純水浴のシャワー形式の切替を実現することができる。保健浴を利用する場合には、入水口を開けて入浴剤混成器内に水を入れた後、入水口を閉めて、負圧配管を介して水を出せばよい。純水浴を利用する場合には、入浴剤混成器の水注入通路を閉じればよい。
【００２８】
３、本発明によれば、ノズルの流量又は圧力が不十分である場合に、加圧機構によって管路圧力を増加させればよい。
【００２９】
４、さらに、本発明は、攪拌機構によって入浴剤混成器内の入浴剤及び水をより均一に混合させることができ、シャワーの際により良好な効果を奏する。
【００３０】
５、さらに、本発明は、液面警報部等によって液面の高さを監視し、時間表示部、音楽再生部、及び温度表示部等によって、シャワーの時間や温度を知らせることができる。
【００３１】
６、さらに、本発明は、複数の入浴剤保存機構の切替によって、様々なユーザによる、入浴剤に対する様々な使用ニーズを満たすことができる。
【００３２】
７、さらに、本発明は、温水が提供されない環境下における加熱器による保健浴の正常使用を実現している。
【図面の簡単な説明】
【００３３】
以下、図面の簡単な説明及び好ましい実施形態と併せて、明確且つわかりやすい方式で本願における上記の特質、技術的特徴、メリット及び実現方法についてさらに説明する。
【００３４】
【図１】本発明に係る入浴剤混成器の１つの実施形態の構成概略図である。
【図２】図１の平面図である。
【図３】本発明に係る入浴剤混成器のもう１つの実施形態の構成概略図である。
【図４】図３の内部の構成概略図である。
【図５】本発明に係る入浴剤混成器の加熱ベースにおける実施形態の構成概略図である。
【発明を実施するための形態】
【００３５】
本発明に係る実施形態又は従来技術における技術的解決手段をより明確に説明するために、以下、図面を参照しつつ本発明に係る実施形態について詳細に説明する。明らかに、以下の説明における図面は、本発明に係る一部の実施形態に過ぎず、当業者には、創造的な業務を行わない前提の下で、これらの添付図面に基づいて他の図面及び他の実施形態を得ることができる。
【００３６】
なお、図面を簡素化するために、各図において本発明に関連する部分のみを概略的に示しており、これらは、製品の実際の構造を表すものではない。
【００３７】
本発明に係る様々な実施形態を詳述する前に、関連する用語について説明する。ここで、入浴剤とは、入浴に使用されるシャワージェルのような製品であるが、日常のシャワージェルの他、温泉成分、薬用成分、香料成分等の製品を含むものがより多く、これらは、ブロック状、粉末、液体、薬物パック等の形態であってよい。実際の使用において、ユーザは自身のニーズに従って選択すればよい。
【００３８】
＜実施形態１＞
本発明に係る入浴剤混成器の実施形態１において、入浴剤混成器は、内部に入浴剤混合キャビティというキャビティが設けられたハウジングを備えている。ハウジングは、例えば、上部蓋と下部桶体という分割構造のような、一体型のハウジングであってもよく分離型のハウジングであってもよい。ハウジングには、入水口、出水口、入浴剤装入口がさらに設けられている。入水口及び入浴剤装入口は、いずれも入浴剤混合キャビティと連通しており、出水口及びハウジングの内部に配置された負圧配管の一端と連通している。負圧配管の他端は、入浴剤混合キャビティ内の下部まで延在し、底部に近接している。入浴剤混成器が動作し始めると、まず貯水状態に入り、このとき入水口を開けて出水口を閉じると、水は、外部水供給管路によって入水口から入浴剤混合キャビティ内へ注入される。好ましくは、プリセット温度の温水を満たすために、例えば、満タン又は、予め設定された高さか予め設定された容量まで、水が予め設定された量まで達した後、入水口が閉じられ、水注入が停止する。その後、直ちに送水状態に入るか一定時間の待ち状態に入る。入浴剤の効能が出た後、出水口が開けられ、入水口が閉鎖状態で保たれる。入浴剤混合キャビティ内の入浴剤混合液は、ハウジング内の負圧配管によって出水口から外部の噴出口、ノズル又はシャワーヘッドまで搬送されて噴霧され、これにより、保健浴が実現される。
【００３９】
＜実施形態２＞
本発明に係る入浴剤混合器の実施形態２において、図１に示すように、実施形態２における入浴剤混成器は、内部に入浴剤混合キャビティ３が設けられたハウジング２を備えている。ハウジング２には、入水管４を介して入浴剤混合キャビティ３と連通する２つの入水口が設けられている。２つの入水口に対応する２つの入水管４があり、メイン入水管Ａ及び予備入水管Ｂを含む。メイン入水管Ａは、ハウジング２の側壁に向かって開口し、予備入水管Ｂは、ハウジング２の頂部に向かって開口している。予備入水管は、主に、メイン入水管が故障した際に使用するために配置されている。２つの入水管の開口の向きは、外部送水管路に接続しやすいように考慮されている。２つの開口の向きは、入れ替わってもよく、他の向きに調整してもよい。他の実施形態においては、１つの入水口のみ配置されてもよい。入水管４と入浴剤混合キャビティ３との間には、入浴剤混合キャビティ加水管９が連通するように配置されている。入浴剤混合キャビティ加水管９には、入浴剤混合キャビティ３への加水状況を制御するための加水用バルブ１０が取り付けられている。
【００４０】
図１を参照されたい。ハウジング２には、入浴剤混合キャビティ内に薬物パック、薬液又は粉末等の形態の入浴剤を供給するための入浴剤装入口５がさらに設けられている。ハウジングが分離型ハウジングである場合、入浴剤装入口は個別に設けられなくてもよい。この場合、ハウジング内の蓋体のみ開ければ、入浴剤混合キャビティの開口が入浴剤装入口となるので、入浴剤が、入浴剤混合キャビティ内へ直接添加されればよい。
【００４１】
図１を参照されたい。ハウジング２内には、出水管を介して出水口２４と連通する負圧配管７がさらに配置されている。負圧配管７は、入浴剤混合キャビティ３内の下部まで延在し、底部に近接している。負圧配管７には、負圧配管７による送水の流量を制御するための流量調整スイッチがさらに配置されている。
【００４２】
図１を参照されたい。入水管４には、予備入水管と連通するように設けられた接続口のほか、３つの接続口がさらに設けられている。ここで、第１接続口は、左側の入水口（図における入水口プラグ１６に対応する位置）と連通し、第２接続口は、入浴剤混合キャビティの加水口（図における入浴剤混合キャビティ加水管９に対応する位置）と連通し、第３接続口は、負圧配管７に連通している。出水管（図に表示されていないが、出水口２４に対応する配管である。）は、一端が負圧配管７と連通し、他端は、出水口２４と連通している。入水管４の第３接続口（右側接続口）及び出水管は、いずれも負圧配管７の同じ接続位置に連通している。すなわち、入浴剤混合キャビティ３の外部に位置する三方連通位置Ｃである。また、図１に示すように、入水管及び出水管の管路は、いずれも徐々に細くなるような形で三方連通位置Ｃに連通し、当該徐々に細くなるような形によって負圧の形成が容易になる。負圧配管の直径は、例えば、６ｍｍであり、０．１〜１２ｍｍ前後が好ましい。入水管及び出水管の、三方連通位置Ｃでのテーパ口径の最小直径は０．１〜６ｍｍである。実施形態２における入水管、出水管及び負圧配管のこのような連通方式により、入浴剤が使用される保健浴と純水浴との間の自由切替が実現される。澄んだ湯を考慮しない場合は、他の実施形態では、入水管が図における三方連通位置Ｃまで延在しなくてもよく、入水管と入浴剤混合キャビティ３とのみ連通すればよい。
【００４３】
図２を参照されたい。好ましくは、本発明において、加圧水管３５及び水圧調整器２８を含む加圧機構がさらに配置されてよく。加圧水管３５は、一端が入水管と連通し、他端が出水管と連通している。水圧調整器２８は、加圧水管３５の任意の位置に配置されているが、好ましくは、出水管に近い位置に配置されている。水圧調整器は、圧力調整弁であってよく、通常、ばね式が採用され、ばねの締付け力によって管路の圧力を制御する。
【００４４】
図１を参照されたい。好ましくは、本発明において、撹拌器１１及び動力部を含む攪拌機構がさらに配置されてよい。動力部は、図における駆動インペラ１４であってもよく、他の形式であってもよい。ここで、撹拌器１１は、入浴剤混合キャビティ３の下部まで延在し、底部に近接している。駆動インペラ１４と撹拌器１１とが接続されており、撹拌器１１は、駆動インペラ１４の回転によって駆動されて回転する。より好ましくは、本発明に係る攪拌機構は、電気的なものではなく純粋な機械的構造であってよい。動力部は、インペラ室１４１及びインペラ室１４１に配置された駆動インペラ１４を含む。インペラ室１４１は、メイン入水管Ａの管路に配置され、且つ負圧配管７の三方連通位置Ｃの前方に位置する。インペラ室１４１は、インペラ室入水口を設けることによってメイン入水管Ａと連通している。駆動インペラ１４の回転軸は、撹拌器１１と接続されており、回転すると撹拌器に動力を提供する。メイン入水管Ａ内を水流が通過する際に、水がメイン入水管Ａからインペラ室１４１に流れ込み、駆動インペラ１４は、駆動されて回転状態となり、その後の水がインペラ室出水口を介してインペラ室から入水管にさらに流れ込む。
【００４５】
図１及び図２を参照されたい。より好ましくは、本発明において、本発明の機能をより完全にし、ユーザ体験の効果をより良好にするために、さらに多くの機能性を有する構造が配置されている。具体的には、入水口の箇所には、入水口プラグ１６が配置され、出水口２４の箇所には、出水口プラグが配置され、また、入浴剤装入口５の箇所には、入浴剤装入口キャップ６が配置されてよい。配置された上記のプラグ及びキャップにより、埃が入浴剤混成器に入ることを回避することができ、衛生状態が良好である。さらに、負圧配管７の底部には、メッシュフィルタ１５が配置されてもよく、負圧配管７の底面及び側壁の底端は網状構造のように設計されてもよく、これにより、入浴剤の水に溶けにくい残渣が負圧配管に入ることによって起こされる詰まり問題を回避することができる。さらに、ハウジングには、保温層が集積されてもよく、これにより、水温が効果的に維持される。例えば、水が入浴剤混合キャビティ内に注入された後、入浴前に入浴剤が浸漬するのをしばらく待たなければならないため、保温層は、待機時間中に水温を効果的に保つことができる。さらに、壁や他の取付位置に取り付けやすいように、ハウジング２の背面には、フック１９がさらに配置されてよい。さらに、ハウジング２には、入浴剤混成器の容量を表示するための液面容量制限部１２がさらに配置されてよい。液面警報部１３は、注入された液面に対して警報及び監視を行う。液面表示部２１は、液面の高さを目視で確認可能とするための、表示窓又は自動車内のオイルメーターと同様なディスプレイであってよい。液面制御部２２は、液面の高さを制限するための、フロート等の機構であってよい。時間表示部２０は、現在の時間を表示するために使用されるが、入浴時間帯を設定し、カウントダウンの方式で表示させてもよい。音楽再生部２３は、入浴のときの体験を向上させるために、入浴中に音楽を再生してよい。音楽は、予め設定されたものであってもよく、ユーザ自身の好みで導入されたものであってもよい。音楽の再生は、入浴時間に合わせてよく、入浴が終了すると音楽の再生も停止する。温度表示部３０は、温度センサが配置されていることによってシャワー温度を感知することができる。
【００４６】
さらに好ましくは、図１及び図５を参照すれば、本発明は、給湯がない場合の解決手段をさらに提供する。ハウジング２の底部には、加熱接続口１７が設けられ、さらに、加熱接続口１７に適合するようにそれと共にセットされ、且つそれと分離可能に接続された加熱ベース１８が配置されている。給湯がない場合には、水を注入した後、本発明に係る入浴剤混成器をシャワー装置から取り外し、加熱ベース１８に置いて加熱する。水温が使用の要件を満たした後、シャワー装置を再び取り付ければよい。入浴剤混成器を取り外した後に水を注入して加熱してもよい。
【００４７】
本発明に係る実施形態２において、具体的に使用する際に、本混合器の取付の流れは、以下のようである。初めて使用する前に、入浴剤混成器の入水口（例えば、図１におけるメイン入水管Ａの入水口）をシャワー用水調整器の出水口（外部送水管路）に接続し、次に、噴霧器の入水口を出水口２４と接続する。ハウジング２は、上部蓋と下部桶体という分割構造であり、前半の取付ステップが完了した後、入浴剤混合キャビティ３が位置する桶体を上部蓋の下方のネジ口内に螺合させてロック片をロックし（本発明に係る他の実施形態における上部蓋及び桶体は、挿入の方式で接続されてもよい。）、これにより、上部蓋と下部桶体とは一体に固定される。次に、フックブラケット１９をハウジング２の後側に位置するフックの固定面に固定して、フックを冷水及び温水の出水管及び壁側の位置に引っ掛け、又は、ボルトでシャワー器の下方の適当な位置に固定すれば、取付が終了となる。
【００４８】
実施形態２における入浴剤混成器を使用する際に、入浴剤装入口キャップ６を開け、一定の量の選択された入浴剤を、入浴剤装入口５を介して入浴剤混合キャビティ３内に加える。次に、シャワー用水調整器のスイッチをユーザが必要とする水温設定に従って開け、必要な水温に達した後、入浴剤混成器の加水用バルブ１０を開けてて水を入浴剤混合キャビティ３内に添加する。水位が液面容量制限部１２に達し、又は、液面警報部１３が報知すると、水量が予定位置に達していることを示す。加水用バルブ１０を閉めると共に、撹拌機の駆動インペラ１４は、シャワー用水調整器スイッチのスイッチオンに伴って水流の駆動下で自動回転を開始し、撹拌器１１は、連動して入浴剤及び入浴剤混合キャビティ３内の水を均一に撹拌すると共に、シャワー用水調整器の水温を適切な温度まで調整する。その後、流量又は入浴時間のニーズに応じて負圧配管の流量調整スイッチ８をオンにして設定流量を調整する。このとき、入浴タイマーが設定された音楽再生部２３は、入浴時間及び入浴剤混合キャビティ内の負圧配管の出水流量に従って、ユーザの好みの音楽を再生してシャワーを開始する。混合溶液が使い切られると、音楽及びシャワーは同時に停止する。すべてのスイッチをオフにすれば、入浴全体の過程が完了する。
【００４９】
浴室に給湯器がない場合や給湯器が故障している場合などの特別な環境や状況においては、ロック片を開けて入浴剤混合キャビティ３が位置する桶体を取り外せばよい。まず入浴剤を添加して水道水を入れた後加熱ベース１８において加熱し、水温が設定温度に達した後入浴剤混合キャビティ３が位置する桶体を加熱ベース１８から取り外してハウジング２の上部蓋の下方に螺合させてロック片をロックし（本発明に係る他の実施形態における上部蓋及び桶体は、挿入の方式で接続されてもよい。）、それから、水道水のスイッチ又はシャワー器のスイッチをオンにする。次に、負圧配管の流量調整スイッチ８をオンにして、それを適切な水温及び流量まで調整すれば、同様にシャワーを浴びることができる。ハウジング２が一体型ハウジングである場合は、まず、冷水を入浴剤混合キャビティ３内に注入すると共に入浴剤を入れ、次に、シャワー器から取り外して加熱ベース１８に置いて加熱する。
【００５０】
＜実施形態３＞
本発明は、実施形態２に基づいて改善された実施形態３をさらに提供する。図３及び図４を参照すれば、ユーザが様々な入浴剤を選択できるように、複数の入浴剤保存機構２７及び入浴剤選択機構等の機構が追加されている。具体的には、入浴剤混合キャビティ３内の上部には、６つの入浴剤保存機構２７（図におけるＤＥＦＧＨＪは、６つの入浴剤保存機構を示している。）が配置され、入浴剤が入浴剤保存機構２７から入浴剤混合キャビティ３に入るように、各入浴剤保存機構２７は、液体出口３１を介して入浴剤混合キャビティ３と単方向に連通している。他の実施形態では、入浴剤保存機構の数は、例えば、３つ、４つ、５つ又はさらに多い数など、異なってもよい。実施形態３において、６つの入浴剤保存機構２７は、円周方向に配列されているが、他の実施形態では、他の配列方式であってもよい。
【００５１】
実施形態３において、６つの入浴剤保存機構２７と接続された入浴剤選択機構２５がさらに配置されており、これにより、複数の入浴剤保存機構２７は、入浴剤選択機構２５によって駆動されて入浴剤装入口の下方、及び、入浴剤混合キャビティの加水位置の下方までそれぞれ移動する。１つの入浴剤保存機構２７が入浴剤装入口の下方まで移動すると、もう１つの入浴剤保存機構２７は加水管の下方まで移動する。これは、複数の入浴剤保存機構においてペアごとにマッチさせる形式であるが、マッチさせなくてもよい。例えば、総数が奇数である入浴剤保存機構の場合は、ペアごとにマッチさせることはなく、このときに、入浴剤選択機構を再度調整すればよい。
【００５２】
図３及び図４を参照されたい。具体的には、入浴剤選択機構２５は、回転盤及び回転制御フォークを含む。回転盤は、ギア機構（すなわち、図における第１ギア２５１）である。第１ギア２５１の内側には、６つの入浴剤保存機構２７が円周方向に沿って配置されている。回転制御フォークは、互いに接続された第１操作スイッチ３３及び第２ギア２５２を含む。第２ギア２５２と第１ギア２５１とが噛み合い、第１操作スイッチ３３が第２ギア２５２の円周方向に沿って回されると、第２ギア２５２及び第１ギア２５１は、いずれも回転状態となる。複数の入浴剤保存機構は、第２ギア２５２によって駆動されて同時に回転し、１つの入浴剤保存機構が入浴剤装入口の下方まで進行すると、第１操作スイッチ３３は元の位置に戻され、第１ギア２５１及び第２ギア２５２は、回転を停止し、複数の入浴剤保存機構も回転を停止する。また、複数の入浴剤保存機構２７の間には、回転軸２９がさらに配置されている。すなわち、複数の入浴剤保存機構２７は、回転軸２９の外側を囲むように配置されている。
【００５３】
さらに、ハウジングの頂部には、加水管の下方の入浴剤の種類を容易に確認可能とするために、シースルー窓が配置されてよい。
【００５４】
さらに、入浴剤保存機構２７の進行位置により良好に適合させるために、入浴剤保存機構２７の外壁及びハウジングの内側壁のそれぞれには、互いにマッチする係合部材がさらに配置されてよい。複数の入浴剤保存機構が回転すると、互いにマッチした係合部材が分離され、入浴剤保存機構が所定位置まで移動すると、係合部材が係合する。これにより、第１操作スイッチ３３に対する操作変位を知らせることもできれば、入浴剤保存機構に対する位置固定を行うこともできる。
【００５５】
図３及び図４を参照されたい。複数の入浴剤保存機構２７のそれぞれには、逆止弁３２、プッシュロッド３４及び第２操作スイッチ２６を含む入浴剤単方向送出し制御機構が配置されている。逆止弁３２は、入浴剤保存機構２７の液体出口３１の箇所に配置され、液体出口３１は、入浴剤保存機構２７の底部に設けられている。プッシュロッド３４は逆止弁３２の下方に位置している。第２操作スイッチ２６は、プッシュロッド３４と固定接続され、ハウジングの外部まで延在している。第２操作スイッチ２６が押下されると、プッシュロッド３４が押し上げられる状態となり、逆止弁３２は、プッシュロッド３４によって押し上げられて、液体出口３１との間に、入浴剤及び水が通過するための隙間を形成する。第２操作スイッチ２６が元の位置に戻ると、プッシュロッド３４が下がることで逆止弁３２も下がって液体出口３１を封鎖する。
【００５６】
実施形態３における入浴剤混成器を使用する際に、図３及び図４を参照してよい。入浴剤装入口キャップを開け、第１操作スイッチ３３を軽く押し動かす。このときの６つの入浴剤保存機構２７は、第１操作スイッチ３３のプッシュによって回転軸２９に沿って回転する。入浴剤を装入すべき空き状態の入浴剤保存機構２７（１番目の入浴剤保存機構をＤと表記）が入浴剤装入口まで回転した後、第１操作スイッチ３３のプッシュを停止する。選択された入浴剤、薬液又は薬物パックをＤと表示された入浴剤保存機構内に入れ、再び第１操作スイッチ３３を押し動かし、２番目の入浴剤保存機構２７（例えばＥ）が入浴剤装入口の下方まで回転した後、再び第１操作スイッチ３３のプッシュを停止する。別の入浴剤、薬物パック又は薬液をＥと表示された入浴剤保存機構内に添加し、最後の入浴剤保存機構への添加が完了するまで第１操作スイッチ３３を複数回押し動かす。このとき、Ｄと表示された１番目の入浴剤保存機構における上部口は、入浴剤混合キャビティの加水管の出水口と位置合わせされている。このとき、まず、シャワー器水調整スイッチをオンにして、設定された必要な水温を調整する。仮に、Ｄと表示された１番目の入浴剤保存機構内の入浴剤、薬物パック又は薬液を選択して使用する必要がある場合、加水用バルブを先に開ければ、水は、加水管の出水口によって、予め設定された温度に従ってＤと表示された１番目の入浴剤保存機構内に注入され始め、同時に、撹拌機の駆動インペラ１４は、シャワー用水調整器のスイッチオンと共に水流によって駆動されて自動回転が始まる。それにより、撹拌器１１は、駆動されて入浴剤及び入浴剤混合キャビティ内の水を均等に撹拌する。このとき、逆止弁のレバー式スイッチボタン（すなわち、第１操作スイッチ２６）を押してよく、このときの入浴剤保存機構は、単方向に切り替えられる。すなわち、プッシュロッド３４は、第１操作スイッチ２６が押圧されることに従って上昇する。プッシュロッド３４が入浴剤保存機構の液体出口３１に位置する逆止弁３２まで押し上げられると、逆止弁３２が開けられ、入浴剤保存機構内の入浴剤、薬液又は薬物パック内の薬剤は、加水管内の水流の洗い流し、希釈又は浸漬によって、徐々に希釈されて溶解し、又は、温水の浸漬によって徐々に放出されて、逆止弁３２と液体出口３１との間の隙間に沿って入浴剤混合キャビティ内に流れ込む。入浴剤混合キャビティ内の混合入浴液が所定の水位まで達すると、液面表示部が点灯され、液面制御部が液面警報部に接触すると警報が鳴る。このとき、加水用バルブを閉めると共に、水温を適切な温度まで調整する。入浴剤混成器の出水口の温度は、温度表示部に表示される。その後、流量又は入浴時間のニーズに応じて負圧配管の流量調整スイッチをオンにして設定流量を調整する。このとき入浴タイマーが設定された音楽再生部及び時間表示部は、所定の入浴時間に従って入浴時間を表示し、混合容器の負圧配管の出水流量に従ってユーザが設定した好みの音楽を再生してシャワーを開始する。シャワー器による噴霧の水流量又は圧力が不十分な場合、最高の入浴効果を達成するために、加圧水管における水圧調整器を調整して流量及び圧力を増加させることができる。混合容器内の入浴溶液が使い切られると、音楽が再生を自動的に停止し、入浴が完了する。すべてのスイッチをオフにすれば、入浴全体の過程が完了する。
【００５７】
浴室に給湯器がない場合や給湯器が故障している場合などの特別な環境や状況においては、ロック片を開けて入浴剤混合キャビティ３が位置する桶体を取り外せばよい。まず入浴剤を添加して水道水を入れた後加熱ベースにおいて加熱し、水温が設定温度に達した後入浴剤混合キャビティ３が位置する桶体を加熱ベースから取り外してハウジングの上部蓋の下方に螺合させてロック片をロックし（本発明に係る他の実施形態における上部蓋及び桶体は、挿入の方式で接続されてもよい。）、それから、水道水のスイッチ又はシャワー器のスイッチをオンにする。次に、負圧配管の流量調整スイッチをオンにして、それを適切な水温及び流量まで調整すれば、同様にシャワーを浴びることができる。ハウジングが一体型ハウジングである場合は、まず、冷水を入浴剤混合キャビティ内に注入すると共に入浴剤を入れ、次に、シャワー器から取り外して加熱ベースに置いて加熱する。
【００５８】
本発明によれば、定期的に取り外して洗浄する方式で入浴剤の残渣残留問題を解決することもできれば、ハウジングに排滓口を設けることにより、出水口を閉め、排滓口を開けて、入浴剤混合キャビティ内に純水を入れて洗い続けてもよい。
【００５９】
本発明は、給水管路、出水管路、ノズル部、及び前述した入浴剤混成器を備えたシャワー装置をさらに提供する。給水管路は、入浴剤混成器の入水口と連通している。出水管路の入水端は、入浴剤混成器の出水口と連通し、出水管路の出水端は、ノズル部と接続されている。ノズル部は、噴霧器又はシャワーヘッドである。
【００６０】
本発明に係る入浴剤混成器（混合器）の主な機能は、入浴剤混成器ユニットの入水口をシャワー用水調整器の出水口まで螺合させて、噴霧器の入水口を入浴剤混成器ユニットの出水口に接続させることである。入浴の際に、予め選定された入浴剤を本混成器の入浴剤装入口内に添加して、適量の冷水又は温水を加える。シャワー用水調整器がスイッチオンになると、シャワーヘッドから入浴用温水が噴霧され、入浴剤混成器は、シャワー用水調整器内の水の流速によって生成された真空を利用して入浴剤混成器内の負圧吸引管を介して予め混合された入浴剤を、入浴剤混成器内に送り込み、入浴剤は、シャワー器内の温水と再び混合された後、温水と共にシャワーヘッドを介してユーザの全身又は噴霧の必要のある部位に噴霧される。
【００６１】
本発明に係る入浴剤混成器において、家庭又はホテルなどの場所にある既存のシャワー装置に取り付けてもよく、入浴剤混成器付きのシャワー装置セットを購入して取り付けて使用してもよい。出かける必要もなく、入浴前及び入浴後の準備や片付け作業も必要なく、容易に保健浴を楽しむことができて、便利である。また、頻繁に使用することができ、特に疾患を持つユーザは、低コストで簡単に自宅で毎日の入浴が実現できる。さらに、本発明において、独立した噴霧入浴の方式が採用されているため、健康で衛生的であり、ヒトとの交差感染による疾患の潜在的なリスクが効果的に回避される。
【００６２】
本発明において、取付が簡単で便利であり、また、通電することなく使用可能である。一部の機能的構造は、内蔵バッテリによって実現され得、これにより、電気の使用によるリスクが効果的に回避され、安全性、信頼性及び安定性を有する。また、本発明において、様々な人々のニーズに応じて様々な入浴剤を選択して入浴を実現することもできる。例えば、ユーザが温泉浴をしたい場合には、温泉の素、薬物パック又は薬液等を、入浴剤保存機構の任意の空き状態の容器内に入れて温泉浴を行うことができる。保健浴をしたい場合には、自身の身体や部位へのコンディショニング及び修復に必要なヘルスケアの素又は認定された漢方（パック）の素を、入浴剤保存機構の任意の空き状態の容器内に入れて入浴することができる。ユーザが美肌や美容を目指したい場合には、様々な天然植物の香りを有する美肌、美容の素を入れて入浴することができる。さらに、ユーザは、所望の様々な効果及び機能を達成するために、複数の入浴剤を変更して交替入浴をしてもよく、複数の入浴剤を混合させて使用してもよい。純水浴をしたい場合には、混合容器の加水用バルブ及び負圧配管の流量調整器をオフにすれば純水浴を楽しむことができる。
【００６３】
なお、上記の各実施形態を、必要に応じて自由に組み合わせることができる。上記の説明は、本発明の好ましい実施形態に過ぎない。当業者は、本発明の原理から逸脱しない限り、様々な改善や潤飾を行うことができる。これらの改善や潤飾が本発明の保護範囲内に属すると見なされるべきである。
【符号の説明】
【００６４】
２  ハウジング
３  入浴剤混合キャビティ
４  入水管
Ａ  メイン入水管
Ｂ  予備入水管
５  入浴剤装入口
６  入浴剤装入口キャップ
７  負圧配管
８  流量調整スイッチ
Ｃ  三方連通位置
９  入浴剤混合キャビティ加水管
１０  加水用バルブ
１１  撹拌器
１２  液面容量制限部
１３  液面警報部
１４  駆動インペラ
１４１  インペラ室
１４１１  インペラ室入水口
１４１２  インペラ室出水口
１５  メッシュフィルタ
１６  入水口プラグ
１７  加熱接続口
１８  加熱ベース
１９  フックブラケット
２０  時間表示部
２１  液面表示部
２２  液面制御部
２３  音楽再生部
２４  出水口
２５  入浴剤選択機構
２５１  第１ギア
２５２  第２ギア
２６  第２操作スイッチ
２７  入浴剤保存機構
２８  水圧調整器
２９  回転軸
３０  温度表示部
３１  液体出口
３２  逆止弁
３３  第１操作スイッチ
３４  プッシュロッド
３５  加圧水管
【図１】
2020000824.tif 000003
【図２】
2020000824.tif 000004
【図３】
2020000824.tif 000005
【図４】
2020000824.tif 000006
【図５】
2020000824.tif 000007
【手続補正書】
【提出日】令和1年9月26日(2019.9.26)
【手続補正１】
【補正対象書類名】特許請求の範囲
【補正対象項目名】請求項１
【補正方法】変更
【補正の内容】
【請求項１】
内部に入浴剤混合キャビティが設けられたハウジングと、
前記ハウジング上に設けられ、前記入浴剤混合キャビティと連通している入水口と、
前記ハウジング上に設けられ、前記入浴剤混合キャビティと連通している入浴剤装入口と、
前記ハウジング上に設けられた出水口と、
前記ハウジング内に配置され、一端が前記入浴剤混合キャビティ内の下部まで延在し、他端が前記出水口と連通している負圧配管とを備え、
入浴剤混成器の作動状態は、貯水状態及び送水状態を含み、
前記入浴剤混成器が貯水状態のときには、前記入水口が開き、前記出水口が閉じ、
前記入浴剤混成器が送水状態のときには、前記入水口が閉じ、前記出水口が開くことを特徴とする入浴剤混成器。
【外国語明細書】
2020000824000001.pdf